(57)【特許請求の範囲】
【請求項１】
容器本体や、当該容器本体よりもその径方向の外側部分に突出した態様の内容物放出用の放出口を持つ押しボタンとは別体の単品からなり、かつ、当該径方向に形成されたキャップ取付部に着脱自在であって、
前記キャップ取付部に装着されたときに、前記押しボタンの移動方向において容器本体の一部と対向する係止部を備え、
前記装着状態では、前記放出口をカバーするとともに、放出操作にともなう前記押しボタンの移動を、前記係止部と前記容器本体の一部との係止作用により抑止する、
ことを特徴とする内容物放出用容器のキャップ。
【請求項２】
前記係止部は、前記キャップ取付部に装着されたときの前記移動方向において前記容器本体の一部の肩カバーと対向する、
ことを特徴とする請求項１記載の内容物放出用容器のキャップ。
【請求項３】
前記係止部は、前記キャップ取付部に装着されるときに前記押しボタンの開口部からその内側に入り込んでいく形状である、
ことを特徴とする請求項１または２記載の内容物放出用容器のキャップ。
【発明の詳細な説明】
【０００１】
【産業上の利用分野】
本発明は、容器本体の内容物が外部に放出されるさいの放出口を不使用時にカバーするための内容物放出用容器のキャップに関し、特に、放出口をカバーした不使用状態のときには押しボタンの移動を抑止する機能を備えた内容物放出用容器のキャップに関する。
【０００２】
【従来の技術】
一般に、エアゾール容器やポンプを備えた容器などの内容物放出用容器は、容器本体に設けた押しボタンを移動させる（押し下げる）ことにより、容器本体内のガス圧や、ピストンの移動に基づくシリンダ内の圧力によって、容器本体に収納した内容物が、例えば押しボタンに設けられた放出口を介して外部に放出されるようにしたものである。
【０００３】
そして、従来、不使用時において押しボタンを抑止して、内容物の不用意な放出を防止するようにしたものがある（実公昭５６−１１９６８号公報）。これは、弁操作部片（押しボタン）の上部にスライダー片を設けるとともに、不使用時にこのスライダー片を移動させてその一部を外側の係止部片の上方に位置させることにより、この状態では押しボタンを押し下げることができないようにしたものである。
【０００４】
【発明が解決しようとする課題】
このように、実公昭５６−１１９６８号公報に記載のものは、不使用時において放出口が露出した状態となっているため、放出口からの液たれによる汚損や、放出口付近の内容物が乾燥して次回の放出時の妨げとなることを防止するには、放出口の部分をキャップでカバーする必要がある。
【０００５】
しかしながら、押しボタンの移動を抑止・解除するためにスライダー片を移動させる操作と、放出口をカバーするためにキャップを着脱する操作とを個別に行う必要があるため、使用者にとってその操作が面倒であり、取り扱いが不便であるといった問題点を有している。
【０００６】
そこで、本発明では、放出口をキャップでカバーするといった単一の操作で同時に押しボタンの移動が抑止されるようにして、内容物の不用意な放出を防止し、使用者にとってその取り扱いを容易にした内容物放出用容器のキャップを提供することを目的とする。
【０００７】
【課題を解決するための手段】
本発明は、この目的を達成するため次の構成をとっている。
（１）容器本体や、当該容器本体よりもその径方向の外側部分に突出した態様の内容物放出用の放出口を持つ押しボタンとは別体の単品からなり、かつ、当該径方向に形成されたキャップ取付部に着脱自在であって、前記キャップ取付部に装着されたときに、前記押しボタンの移動方向において容器本体の一部と対向する係止部を備え、前記装着状態では、前記放出口をカバーするとともに、放出操作にともなう前記押しボタンの移動を、前記係止部と前記容器本体の一部との係止作用により抑止する、態様のものとする。
（２）上記（１）において、前記係止部を、前記キャップ取付部に装着されたときの前記移動方向において前記容器本体の一部の肩カバーと対向させる。
（３）上記（１），（２）において、前記係止部を、前記キャップ取付部に装着されるときに前記押しボタンの開口部からその内側に入り込んでいく形状にする。
【０００８】
【作用】
このように、キャップに係止部を設け、キャップを装着して放出口をカバーしたときには係止部と容器本体の一部とが接するようにしているため、この状態では押しボタンを所定位置から移動させるような力が働いた場合でも押しボタンは移動できず、内容物は放出されないようになっている。なお、キャップを取り外したときには、係止部は容器本体から離れるため、押しボタンは移動可能な状態となる。
【０００９】
【実施例】
本発明の実施例を、図１ないし図３を参照して説明する。
図において、１は容器本体、２はマウンテンキャップ、３はステム、４は肩カバー、４ａは端部、５は押しボタン、５ａは放出用通路、５ｂは取付部、６は放出口、７は開口部、８はキャップ、９は係止部をそれぞれ示している。
【００１０】
ここで、内容物を収納した容器本体１の上端にはマウンテンキャップ２が固着されており、このマウンテンキャップ２にはステム３が設けられている。この
テム３は、下方に移動することによりバルブを開放状態にし（図示せず）、容器本体１内部のガス圧によって上端開口部分から内容物を送り出すようにしたものである。
【００１１】
そして、マウンテンキャップ２の外側には合成樹脂等で形成された肩カバー４がステム３を囲んだ状態で取り付けられ、容器本体１と一体となっている。また、ステム３には放出口６を設けた押しボタン５が取り付けられており、この押しボタン５の放出用通路５ａによってステム３と放出口６とを連通させるようにしている。
【００１２】
したがって、押しボタン５を押し下げたときには、押しボタン５とともにステム３も下方に移動し、これによりステム３から送られた内容物は、放出用通路５ａを通って放出口６から外部に放出される。なお、押しボタン５の下部部分は、肩カバー４の上部部分を覆った状態となっている。
【００１３】
また、押しボタン５には、キャップ８を取り付けるための取付部５ｂを設けるとともに、放出口６の下方部分に開口部７を形成している。この開口部７は、押しボタン５の内側に貫通し、かつ肩カバー４の上端４ａに対応した位置に形成されている。
【００１４】
キャップ８は、押しボタン５の取付部５ｂの部分に対して着脱自在なものであり、装着時には放出口６をカバーするようにしている。そして、図３に示すように、キャップ８の縁部部分の一部に、突出した状態で係止部９を設けている。
【００１５】
この係止部９は、押しボタン５の開口部７から入れることができるような形状に形成されており、キャップ８を押しボタン５の取付部５ａに装着したときには、図１に示すように、係止部９は、開口部７から入り込んで肩カバー４の上端４ａの上方に位置したものとなる。なお、キャップ８を取付部５ａに装着したときに、係止部９が上端４ａと当接するようにしてもよい。
【００１６】
そして、図１に示すように、キャップ８を押しボタン５に装着した場合には、押しボタン５を押し下げようをする力が働いた場合、すなわち、押しボタン５の移動にともなう放出操作を行った場合でも、キャップ８の係止部９が肩カバー４の上端４ａによって下方への移動を係止するため、キャップ８と一体の押しボタン５はその移動が抑止される。
【００１７】
その結果、ステム３もバルブを開放状態にしないため内容物は放出口６から放出されない。すなわち、キャップ８が押しボタン５に装着されたときには、このキャップ８は放出口６を覆うとともに押しボタン５のストッパーとしても機能することになる。
【００１８】
次に、図２に示すように、キャップ８を押しボタン５から取り外した場合には、キャップ８とともに係止部９も押しボタン５から外れるため、押しボタン５は肩カバー４の上端４ａの影響を受けないものとなり、それまでの移動の規制が解除される。これにより、押しボタン５を押し下げたときにはステム３も下方に移動し、これにより内容物は放出口６から外部に放出される。
【００１９】
なお、内容物の放出後に再びキャップ８を押しボタン５に装着する場合には、係止部９を開口部７に差し込むようにして取付部５ｂの部分に嵌め込むようにする。これにより図１に示す状態となり、上記と同様に内容物が放出口６から放出されないものとなる。
【００２０】
また、キャップ８の係止部９は、肩カバー４の上端４ａと係合して押しボタン５の移動を規制することに限定されず、例えば、肩カバー４を容器本体１に取り付けていないものでは、キャップ８の装着時において係止部９がマウンテンキャップ２の上面と対応するようにしたものであってもよい。
【００２１】
さらに、押しボタン５に放出口６を設けていないもの、すなわち放出口６が容器本体１側に設けられた内容物放出用容器については、キャップ８を、放出口６の部分に装着したときに、その一部と非使用状態の押しボタン５とが係合するような態様で設け、放出口６のカバーとともに放出操作に対する押しボタン５の移動を抑止するようにする。
【００２２】
また、図示のものは、容器本体１内のガス圧を利用して内容物を放出するようにしたエアゾール容器を示しているが、これに限定するものではなく、容器本体１としてポンプを備えた容器、すなわち、押しボタンとともに下方に移動するピストンによりシリンダ内の圧力を上げ、これにより予めシリンダ内に入っている内容物を放出するようにした容器を用いるようにしてもよい。
【００２３】
この場合も図示のものと同様に、押しボタンに着脱自在のキャップを設けるとともに、このキャップを装着したときには、キャップに設けた係止部が容器本体の一部と係合して、押しボタンが移動できないようにすることが必要である。
【００２４】
【発明の効果】
本発明は、放出口をカバーする状態でキャップを装着したときには、キャップの係止部が容器本体の一部と接して押しボタンの移動を抑止するようにしているため、使用者は、キャップの装着といった単一の操作で放出口のカバーと押しボタンの移動の抑止とを同時に行うことができ、複数の操作を不要とすることによりその取り扱いを容易にすることができる。
【図面の簡単な説明】
【図１】本発明の、キャップを付けた内容物放出用容器を示す断面図である。
【図２】本発明の、キャップを外した内容物放出用容器を示す断面図である。
【図３】本発明の、キャップを示す斜視図である。
【符号の説明】
１・・・容器本体
２・・・マウンテンキャップ
３・・・ステム
４・・・肩カバー
４ａ・・上端
５・・・押しボタン
５ａ・・放出用通路
５ｂ・・取付部
６・・・放出口
７・・・開口部
８・・・キャップ
９・・・係止部
【図１】
0003655333.tif 000002
【図２】
0003655333.tif 000003
【図３】
0003655333.tif 000004